(57)【特許請求の範囲】
【請求項１】
無線通信システムにおいてＭＩＭＯ（Ｍｕｌｔｉｐｌｅ  Ｉｎｐｕｔ  Ｍｕｌｔｉｐｌｅ  Ｏｕｔｐｕｔ）信号を増幅する信号増幅器であって、
ソース装置のネットワーク情報及びアンテナ情報を認知する認知モジュールと、
前記認知された情報に基づいて、前記ソース装置に対する複数のアンテナと目的装置に対する複数のアンテナとの間に第１リンクを形成する適応的リンク形成モジュールと
を含み、
前記第１リンクの形成は、前記認知された情報に基づいて、前記ソース装置に対する複数のアンテナの中から少なくとも一つの受信（Ｒｘ）アンテナを選択することを含み、
前記ソース装置に対する複数のアンテナは、前記アンテナが前記ソース装置のアンテナ位置に対応するように前記信号増幅器内で移動可能である、信号増幅器。
【請求項２】
前記認知モジュールは、前記ソース装置から送信される信号の平均受信電力に基づいて前記アンテナ情報を取得する、請求項１に記載の信号増幅器。
【請求項３】
前記ソース装置から送信される信号は、ＳＲＳ（Ｓｏｕｎｄｉｎｇ  Ｒｅｆｅｒｅｎｃｅ  Ｓｉｇｎａｌ）である、請求項２に記載の信号増幅器。
【請求項４】
前記アンテナ情報は、アンテナ種類、アンテナ数、アンテナ位置及びアンテナ利得のうちの少なくとも一つに関する情報を含む、請求項１に記載の信号増幅器。
【請求項５】
前記認知モジュールは、前記ソース装置の各アンテナから放射される電磁場に基づいて前記アンテナ情報を取得する、請求項１に記載の信号増幅器。
【請求項６】
前記適応的リンク形成モジュールは、
前記ソース装置に関連する第１リンク、前記目的装置に関連する第２リンク、及び前記第１リンクと前記第２リンクとの間の第３リンクを形成する、請求項１に記載の信号増幅器。
【請求項７】
前記第１リンクの形成は、
前記選択された受信（Ｒｘ）アンテナのうちの複数の受信（Ｒｘ）アンテナがソース装置の一つのアンテナに対応する場合、少なくとも一つの選択されたＲｘアンテナのグルーピング、及び前記少なくとも一つのＲｘアンテナへの重みの付与のうちの少なくとも一つを行うことを含む、請求項１に記載の信号増幅器。
【請求項８】
前記第１リンクの形成は、
前記選択された受信（Ｒｘ）アンテナのうちの複数の受信（Ｒｘ）アンテナがソース装置の一つのアンテナに対応する場合、前記複数のアンテナに電力分配を行うことを含む、請求項１に記載の信号増幅器。
【請求項９】
前記信号増幅器に含まれた電力増幅器の個数よりも前記目的装置に対するアンテナの個数が多い場合、前記第２リンクの形成は、前記電力増幅器に対応するアンテナを選択することを含む、請求項６に記載の信号増幅器。
【請求項１０】
前記信号増幅器に含まれた電力増幅器の個数と前記目的装置に対するアンテナの個数が同一である場合、前記第２リンクの形成は、前記複数のアンテナの中から、最小の相間関係を達成するアンテナを選択することを含む、請求項６に記載の信号増幅器。
【請求項１１】
無線通信システムにおいて信号増幅器がＭＩＭＯ（Ｍｕｌｔｉｐｌｅ  Ｉｎｐｕｔ  Ｍｕｌｔｉｐｌｅ  Ｏｕｔｐｕｔ）信号を増幅するためのリンクを形成する方法であって、前記方法は、
ソース装置のネットワーク情報及びアンテナ情報を認知することと、
前記認知された情報に基づいて、前記ソース装置に対する複数のアンテナと目的装置に対する複数のアンテナとの間に第１リンクを形成することと
を含み、
前記第１リンクを形成することは、前記認知された情報に基づいて、前記ソース装置に対する複数のアンテナの中から少なくとも一つの受信（Ｒｘ）アンテナを選択することを含み、
前記ソース装置に対する複数のアンテナは、前記アンテナが前記ソース装置のアンテナ位置に対応するように前記信号増幅器内で移動可能である、方法。
【発明の詳細な説明】
【技術分野】
【０００１】
以下の説明は、無線通信システムに関し、特に、多重入出力（Ｍｕｌｔｉ−Ｉｎｐｕｔ  Ｍｕｌｔｉ−Ｏｕｔｐｕｔ、ＭＩＭＯ）信号を増幅する方法及び装置に関する。
【背景技術】
【０００２】
現在、様々な無線機器が広く使用されており、それに伴ってサービス種類も多様化しつつある。過去の無線データ送信はオーディオ、特に、音声を中心に行われてきたが、現在はオーディオに加え、ビデオ、写真、文書の送信などを含めた様々な形態に発展しており、それに要求されるデータ送信率も幾何級数的に増加している。そのために、より高い送信速度を提供する無線通信規格が登場しており、その一例であるＬＴＥでは、核心技術であるＯＦＤＭとＭＩＭＯを用いてＨＳＤＰＡの１２倍以上も速い速度（最大１Ｇｂ／ｓの送信速度）で通信することができる。しかしながら、このように高速のデータ送信が可能な無線通信規格が提供できる最大速度は、一般に、速度、チャネル環境、時間／周波数割当リソースなどの考慮可能な様々な環境的要因に対して理想的な環境を仮定したときに遂げ得るものであって、実際にユーザの体験可能なデータ送信率はそれを大きく下回っている。特に、無線チャネル環境を考慮する無線通信機器の性能は、信号を送受信する機器間のチャネル環境に大きく影響を受けるが、その代表例として、空間上の障害物の有無及びその分布、機器の移動速度などが挙げられる。これに加えて、データ送信率を向上させるための重要な技術の一つであるＭＩＭＯ技術を適用する場合、アンテナ設計及び配置などによる機器そのものの制約事項が影響を与えることもある。
【０００３】
このような様々な環境的、物理的制約の状況で、無線機器の性能劣化を補償するための一方案として、無線機器の信号を増幅させるリピータ（ｒｅｐｅａｔｅｒ）がある。一般のＲＦリピータは、無線機器のＲＦ放射信号を受信して、雑音及び干渉を含んでいる信号自体をそのまま増幅させて再送出する方式を用いる。
【０００４】
図１は、一般のＲＦ信号増幅器を示す図である。図１に示すような既存のＲＦ信号増幅器の場合、無線機器のアンテナ位置及び種類などとは無関係にアンテナが設置されているため、信号増幅器の入力において無線機器の放射電力の相当部分が損失することがある。すなわち、たとえ信号増幅器で信号を増幅するとしても、弱くなった信号とともに雑音も増幅されることから、増幅器が有する最大性能を導き出せなくなる。しかも、既存ＲＦ信号増幅器においてＭＩＭＯアンテナ及び技法を適用する場合、無線機器の各アンテナの放射電力はＲＦ信号増幅器の受信部で互いに干渉を与え、このような干渉もＲＦ信号増幅器の出力部で増幅されるため、ＲＦ信号増幅器の性能が劣化する。
【０００５】
図２は、信号増幅器を介してソース装置の信号を増幅して目的装置に送信したり、劣化した目的装置の信号を増幅してソース装置に送信する一般的な信号増幅器の使用に関する機器間の関係を示す。このような信号増幅器を含む送受信システムに関する信号モデルをより詳しく示すと、図３の通りである。
【０００６】
図３には、既存の多重アンテナベース信号増幅器のチャネルモデルの一般的なモデルとこれを単純化したチャネルモデルを示す。ここで、端末の上りリンク送信（例えば、端末から基地局／ＡＰ（Ａｃｃｅｓｓ  Ｐｏｉｎｔ）への送信）を基準にするとき、Ｎはソース装置の送信アンテナ数、Ｌは信号増幅器のソース装置に対する受信アンテナ数、Ｋは信号増幅器の目的装置に対する送信アンテナ数、そしてＭは目的装置の受信アンテナ数を表す（下りリンク送信では送信と受信の関係が互いに逆となる）。
【０００７】
一般的なＭＩＭＯチャネル環境における信号増幅器モデルを説明すると、信号増幅器は、ソース装置からのＮｘＬの無線チャネルを通した信号を受信する。そのため、受信される信号はアンテナ干渉と機器自体の熱雑音を含む信号であり、これを増幅して再送信するため、不所望の信号までも共に増幅する結果をもたらすことになる。このような雑音増幅の問題を解決するために、ソース装置と信号増幅器間の距離を最小化することができる。例えば、端末を信号増幅器に装着する形態を考慮することができる。この場合、上りリンク観点で、上述の雑音増幅の問題を最小化することができる。また、下りリンク観点では、信号増幅器が高性能の信号増幅器受信アンテナを用いて基地局から向上した品質の信号を受信した後、当該信号を、装着された端末に信号損失を最小化して伝達することによって、下りリンク性能を向上させることができる。
【０００８】
しかし、端末と信号増幅器間の距離が非常に近い場合、信号増幅器アンテナ（ｒｅｃｅｉｖｉｎｇ  ａｎｔｅｎｎａ）と端末アンテナ（ｍｏｂｉｌｅ  ａｎｔｅｎｎａ）の位置によって性能敏感度が非常に増加する。例えば、図４（ａ）で、端末アンテナ＃１と信号増幅器アンテナ＃１はビームパターンがよく整合されていて高いＳＮＲを示すはずであるが、信号増幅器アンテナ＃４は、相対的にビームパターンがよく整合されていないため、相対的にはるかに低いＳＮＲを示すだろう。このような性能敏感度は、端末が多重アンテナで構成されている場合（Ｎ＞１）に、より複雑な問題を招くことがある。なぜなら、信号増幅器アンテナとの相対的な位置によって端末のアンテナ間に異なったＳＮＲを示し、アンテナ間の相互干渉が生じうる。例えば、端末アンテナ＃１は信号増幅器アンテナ＃１とよく整合されているが、端末アンテナ＃２は信号増幅器アンテナ＃２とよく整合されていないとする。この場合、下りリンクの観点で、端末の受信アンテナ間にチャネル利得（又は、Ｐａｔｈｌｏｓｓ）の差が大きくなり、これは、多重受信アンテナを使用することによって期待できる高いランク（Ｒａｎｋ）の送信、すなわち、複数のストリーム（Ｓｔｒｅａｍ）又はレイヤ（Ｌａｙｅｒ）の同時送信を難しくすることにつながるだけでなく、空間ダイバーシティ（Ｓｐａｔｉａｌ  Ｄｉｖｅｒｓｉｔｙ）効果、すなわち、互いに異なるチャネル特性を有する複数の受信アンテナで受信信号を結合（Ｃｏｍｂｉｎｉｎｇ）することから得られる受信安全性増加の効果も減ることにつながる。同様に、上りリンク観点でも、端末送信アンテナ間のチャネル利得が互いに異なるため、高いランクを用いて送信する確率が減り、送信ダイバーシティ（Ｔｒａｎｓｍｉｔ  Ｄｉｖｅｒｓｉｔｙ）効果も減る。そこで、本発明では、無線機器と信号増幅器間の信号減殺を最小化し、多重アンテナ性能を最適化する方法を提案する。特に、無線機器のアンテナ特性及び周波数特性などの認知、及びそれに対する適応的リンク形成によって信号増幅器と無線機器間のチャネルを並列構成のＳＩＳＯチャネルに変換することによって信号増幅器の性能を最適化する方案を提案する。
【発明の概要】
【発明が解決しようとする課題】
【０００９】
したがって、本発明は、上述した関連技術の限界及び欠点に起因する一つ以上の問題を実質的に解消する、無線通信システムにおいてＭＩＭＯ信号を増幅する方法及び装置に関する。
【００１０】
本発明では、対象機器のアンテナ及びネットワーク特性を認知し、それによって対象機器とのリンクを最適化することによって、ＭＩＭＯ  ＲＦ信号増幅器の性能を向上させる方案及びこれを活用したＭＩＭＯ  ＲＦ信号増幅器を提供することを技術的課題とする。
【００１１】
本発明で達成しようとする技術的課題は、以上で言及した技術的課題に制限されず、言及していない他の技術的課題は、以下の記載から、本発明の属する技術の分野における通常の知識を有する者には明らかになるであろう。
【課題を解決するための手段】
【００１２】
本発明の第一の技術的な側面は、無線通信システムにおいて多重入出力（Ｍｕｌｔｉ−Ｉｎｐｕｔ  Ｍｕｌｔｉ−Ｏｕｔｐｕｔ、ＭＩＭＯ）信号を増幅する信号増幅器において、ソース装置のネットワーク情報及びアンテナ情報を認知する認知モジュールと、前記認知した情報に基づいて、前記ソース装置に対する複数のアンテナと目的装置に対する複数のアンテナとの間にリンクを形成する適応的リンク形成モジュールと、を備える、信号増幅器である。
【００１３】
本発明の第二の技術的な側面は、無線通信システムにおいて信号増幅器が多重入出力（Ｍｕｌｔｉ−Ｉｎｐｕｔ  Ｍｕｌｔｉ−Ｏｕｔｐｕｔ、ＭＩＭＯ）信号を増幅するためのリンクを形成する方法において、ソース装置のネットワーク情報及びアンテナ情報を認知するステップと、前記認知した情報に基づいて、前記ソース装置に対する複数のアンテナと目的装置に対する複数のアンテナとの間にリンクを形成するステップと、を含む、リンク形成方法である。
【００１４】
本発明の第一及び第二の技術的な側面は、下記の事項を一つ以上含むことができる。
【００１５】
前記認知モジュールは、前記ソース装置から送信される信号の平均受信電力に基づいて前記アンテナ情報を取得することができる。
【００１６】
前記ソース装置から送信される信号は、サウンディング参照信号（Ｓｏｕｎｄｉｎｇ  Ｒｅｆｅｒｅｎｃｅ  Ｓｉｇｎａｌ）であってもよい。
【００１７】
前記アンテナ情報は、アンテナ種類、アンテナ数、アンテナ位置又はアンテナ利得のうち少なくとも一つを含むことができる。
【００１８】
前記認知モジュールは、前記ソース装置の各アンテナから放射される電磁場に基づいて前記アンテナ情報を取得することができる。
【００１９】
前記適応的リンク形成モジュールは、ソース装置に関連する第１リンク、目的装置に関連する第２リンク、及び前記第１リンクと前記第２リンクとの間の第３リンクを形成することができる。
【００２０】
前記第１リンクの形成は、前記認知した情報に基づいて、前記ソース装置に対する複数のアンテナのうち一つ以上の受信アンテナを選択することを含むことができる。
【００２１】
前記第１リンクの形成は、前記選択された受信アンテナのうち、ソース装置の一つのアンテナに対応する受信アンテナが複数個である場合、前記選択された一つ以上の受信アンテナのグルーピング及び前記一つ以上の受信アンテナへの重み付け値の付与のうち一つ以上を行うことを含むことができる。
【００２２】
前記第１リンクの形成は、前記選択された受信アンテナのうち、ソース装置の一つのアンテナに対応する受信アンテナが複数個である場合、前記複数個のアンテナに電力分配を行うことを含むことができる。
【００２３】
前記ソース装置に対する複数のアンテナは、前記ソース装置のアンテナ位置に対応するように前記信号増幅器内で移動可能であってもよい。
【００２４】
前記信号増幅器に含まれた電力増幅器よりも前記目的装置に対する複数のアンテナが多い場合、前記第２リンクの形成は、前記電力増幅器に対応するアンテナを選択することを含むことができる。
【００２５】
前記信号増幅器に含まれた電力増幅器と前記目的装置に対する複数のアンテナの個数が同一である場合、前記第２リンクの形成は、前記複数のアンテナのうち、相間関係が最小化するアンテナを選択することを含むことができる。
本明細書は、例えば、以下の項目も提供する。
（項目１）
無線通信システムにおいて多重入出力（Ｍｕｌｔｉ−Ｉｎｐｕｔ  Ｍｕｌｔｉ−Ｏｕｔｐｕｔ、ＭＩＭＯ）信号を増幅する信号増幅器であって、
ソース装置のネットワーク情報及びアンテナ情報を認知する認知モジュールと、
前記認知した情報に基づいて、前記ソース装置に対する複数のアンテナと目的装置に対する複数のアンテナとの間に第１リンクを形成する適応的リンク形成モジュールと、
を含む、信号増幅器。
（項目２）
前記認知モジュールは、前記ソース装置から送信される信号の平均受信電力に基づいて前記アンテナ情報を取得する、項目１に記載の信号増幅器。
（項目３）
前記ソース装置から送信される信号は、サウンディング参照信号（Ｓｏｕｎｄｉｎｇ  Ｒｅｆｅｒｅｎｃｅ  Ｓｉｇｎａｌ）である、項目２に記載の信号増幅器。
（項目４）
前記アンテナ情報は、アンテナ種類、アンテナ数、アンテナ位置又はアンテナ利得のうち少なくとも一つを含む、項目１に記載の信号増幅器。
（項目５）
前記認知モジュールは、前記ソース装置の各アンテナから放射される電磁場に基づいて前記アンテナ情報を取得する、項目１に記載の信号増幅器。
（項目６）
前記適応的リンク形成モジュールは、
ソース装置に関連する第１リンク、目的装置に関連する第２リンク、及び前記第１リンクと前記第２リンク間の第３リンクを形成する、項目１に記載の信号増幅器。
（項目７）
前記第１リンクの形成は、前記認知した情報に基づいて、前記ソース装置に対する複数のアンテナのうち一つ以上の受信アンテナを選択することを含む、項目１に記載の信号増幅器。
（項目８）
前記第１リンクの形成は、前記選択された受信アンテナのうち、ソース装置の一つのアンテナに対応する受信アンテナが複数個である場合、前記選択された一つ以上の受信アンテナのグルーピング、又は前記一つ以上の受信アンテナへの重み付け値の付与のうち一つ以上を行うことを含む、項目７に記載の信号増幅器。
（項目９）
前記第１リンクの形成は、前記選択された受信アンテナのうち、ソース装置の一つのアンテナに対応する受信アンテナが複数個である場合、前記複数個のアンテナに電力分配を行うことを含む、項目７に記載の信号増幅器。
（項目１０）
前記ソース装置に対する複数のアンテナは、前記ソース装置のアンテナ位置に対応するように前記信号増幅器内で移動可能である、項目７に記載の信号増幅器。
（項目１１）
前記信号増幅器に含まれた電力増幅器よりも前記目的装置に対する複数のアンテナが多い場合、前記第２リンクの形成は、前記電力増幅器に対応するアンテナを選択することを含む、項目６に記載の信号増幅器。
（項目１２）
前記信号増幅器に含まれた電力増幅器と前記目的装置に対する複数のアンテナの個数が同一である場合、前記第２リンクの形成は、前記複数のアンテナのうち、相間関係が最小化するアンテナを選択することを含む、項目６に記載の信号増幅器。
（項目１３）
無線通信システムにおいて信号増幅器が多重入出力（Ｍｕｌｔｉ−Ｉｎｐｕｔ  Ｍｕｌｔｉ−Ｏｕｔｐｕｔ、ＭＩＭＯ）信号を増幅するためのリンクを形成する方法であって、
ソース装置のネットワーク情報及びアンテナ情報を認知するステップと、
前記認知した情報に基づいて、前記ソース装置に対する複数のアンテナと目的装置に対する複数のアンテナとの間に第１リンクを形成するステップと、
を含む、リンク形成方法。
【発明の効果】
【００２６】
本発明によれば、知能的機器認知及び適応的リンク形成を用いて、ソース装置のＭＩＭＯ信号を、信号損失を最小化しながら増幅して目的装置に送信することが可能になる。
【００２７】
本発明から得られる効果は、以上に言及した効果に制限されず、言及していない他の効果は、以下の記載から、本発明の属する技術の分野における通常の知識を有する者には理解されるであろう。
【図面の簡単な説明】
【００２８】
本明細書に添付される図面は、本発明に関する理解を提供するためのもので、本発明の様々な実施の形態を示し、明細書の記載と共に本発明の原理を説明するためのものである。
【図１】図１は、一般の多重アンテナベース信号増幅器を例示する図である。
【図２】図２は、ソース機器と目的装置に対して信号増幅器を適用したシステムを例示する図である。
【図３】図３は、一般的なＭＩＭＯチャネル環境を用いるように構成された信号増幅器を含んでいる信号モデルを例示する図である。
【図４】図４は、２個の送信アンテナを有するモバイル機器の信号を増幅する信号増幅器を例示する図である。
【図５】図５は、本発明の実施例に係る非接触式インターフェースを有する固定型アンテナ方式の機器認知モジュールを例示する図である。
【図６】図６は、本発明の実施例に係る非接触式インターフェースを有する移動型アンテナ方式の機器認知モジュールを例示する図である。
【図７】図７は、本発明の実施例に係る適応的リンク形成モジュールを含む信号増幅器を例示する図である。
【図８】図８は、本発明の実施例に係る信号増幅器のアンテナ装置を例示する図である。
【発明を実施するための形態】
【００２９】
以下の実施例は、本発明の構成要素及び特徴を所定の形態で結合したものである。各構成要素又は特徴は、別に明示しない限り、選択的なものとして考慮されてもよい。各構成要素又は特徴は、他の構成要素や特徴と結合しない形態で実施されることもあり。また、一部の構成要素及び／又は特徴が結合して本発明の実施例を構成することもある。本発明の実施例で説明される動作の順序は変更されてもよい。ある実施例の一部の構成や特徴は、他の実施例に含まれてもよく、他の実施例の対応する構成又は特徴に代えてもよい。
【００３０】
本明細書では、本発明の実施例を、基地局と端末間におけるデータ送受信の関係を中心に説明する。ここで、基地局は、端末と直接に通信を行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００３１】
すなわち、基地局を含む複数のネットワークノード（ｎｅｔｗｏｒｋ  ｎｏｄｅｓ）からなるネットワークにおいて、端末との通信のために行われる種々の動作は、基地局、又は基地局以外の他のネットワークノードにより行われるということは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に代えてもよい。中継機は、Ｒｅｌａｙ  Ｎｏｄｅ（ＲＮ）、Ｒｅｌａｙ  Ｓｔａｔｉｏｎ（ＲＳ）などの用語に代えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に代えてもよい。
【００３２】
以下の説明で使われる特定用語は、本発明の理解を助けるために提供されたもので、これらの特定用語の使用は、本発明の技術的思想から逸脱することなく他の形態に変更されてもよい。
【００３３】
場合によっては、本発明の概念が曖昧になることを避けるために、公知の構造及び装置は省略されたり、各構造及び装置の核心機能を中心にしたブロック図の形式で示されてもよい。また、本明細書全体を通じて同一の構成要素には同一の図面符号を付して説明する。
【００３４】
本発明の実施例は、無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、及び３ＧＰＰ２システムの少なくとも一つに開示された標準文書でサポートすることができる。すなわち、本発明の実施例において本発明の技術的思想を明確にするために説明を省いた段階又は部分は、上記の標準文書でサーポートすることができる。なお、本文書で開示している全ての用語は、上記の標準文書によって説明することができる。
【００３５】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムに利用することができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進展である。ＷｉＭＡＸは、ＩＥＥＥ  ８０２．１６ｅ規格（ＷｉｒｅｌｅｓｓＭＡＮ−ＯＦＤＭＡ  Ｒｅｆｅｒｅｎｃｅ  Ｓｙｓｔｅｍ）及び進展したＩＥＥＥ  ８０２．１６ｍ規格（ＷｉｒｅｌｅｓｓＭＡＮ−ＯＦＤＭＡ  Ａｄｖａｎｃｅｄ  ｓｙｓｔｅｍ）によって説明することができる。明確性のために、以下では、３ＧＰＰ  ＬＴＥ及びＬＴＥ−Ａシステムを中心に説明するが、本発明の技術的思想はこれに制限されない。
【００３６】
上述したような一般のＭＩＭＯ信号増幅器の問題点を克服するために、以下では、「知能型機器認知」を行い、これに基づいて「適応的リンク形成」を行うことができる、本発明の実施例に係る、多重アンテナを有する信号増幅器について説明する。ここで、多重アンテナを有するということは、増幅対象の信号を送信するソース装置（例えば、端末）から信号を受信できる複数個の受信アンテナ（又は、外部アンテナ接続ポート）、及び信号増幅器が増幅された信号を目的装置（例えば、基地局又はＡＰなど）に送信できる複数個の送信アンテナ（又は、外部アンテナ接続ポート）を有するということを意味する。また、本発明で提案する信号増幅器は、「知能型機器認知」のための（知能型機器）認知モジュール、及び認知した情報に基づいてソース装置に対する複数のアンテナと目的装置に対する複数のアンテナ間にリンクを形成できる（適応的）リンク形成モジュールを含む。以下、本発明に係る信号増幅器の主要構成及び機能について順次に説明する。
【００３７】
（知能型機器認知モジュール）
知能型機器認知モジュールは、（後述するように、接触式又は非接触式で）ソース装置に／から信号を送信及び受信するに先立ち、ソース装置のアンテナ、ネットワーク、周波数特性などを認知し、それに基づいてソース装置とのリンクを最適化することができる。
【００３８】
より詳細に、信号増幅器は、ソース装置との通信のための複数のアンテナ／アンテナモジュールを含む。仮に、一つのネットワーク（例えば、ＧＳＭ（登録商標）、ＣＤＭＡ、ＨＳＰＡ、ＬＴＥ、ＬＴＥ−Ａ、該当のリリース（ｒｅｌｅａｓｅ）、Ｗｉ−Ｆｉ、ＧＰＳなど）に対して多重バンドを支援する場合、信号増幅器は、多重バンドを支援するアンテナモジュールを備えることができる。信号増幅器は、上記アンテナモジュール及びこれを含む知能型機器認知モジュールを用いてソース装置に対する最適のアンテナ位置を決定することができる。
【００３９】
ここで、知能型機器認知モジュールは、信号増幅器で支援可能なネットワーク情報及びアンテナ情報を把握する。ここで、ネットワーク情報は、ｉ）ソース装置の通信ネットワーク、ｉｉ）ソース装置の通信ネットワークにおける動作帯域のうち一つ以上を含むことができる。また、アンテナ情報は、ｉ）アンテナ種類、ｉｉ）アンテナ数、ｉｉｉ）アンテナ位置、ｉｉｉｉ）アンテナ利得のうち一つ以上を含むことができる。
【００４０】
知能型機器認知モジュールは、提案する機器認知ベースのＭＩＭＯ  ＲＦ信号増幅器に含まれたＲＦ受信器と連係して動作してもよく、別個のモジュールとして構成されてもよい。
【００４１】
知能型機器認知モジュールが上述のようなネットワーク情報及び／又はアンテナ情報を把握するためには、下記のような方法を用いることができる。
【００４２】
第一に、知能型機器認知モジュールは、ソース装置から送信される信号に対してアンテナ別受信電力を測定し、これらを比較することによって信号増幅器における最適のアンテナを選択することができる。このとき、アンテナ別受信電力は、特定ネットワークに対する全帯域又はソース装置の動作帯域に対して特定時間にわたって受信したＲＦ信号（すなわち、搬送波を除去したＲＦ信号、又は搬送波除去後にハルス整形フィルタ（ｐｕｌｓｅ  ｓｈａｐｉｎｇ  ｆｉｌｔｅｒ）を通した信号）の平均受信電力であってもよい。又は、特定ネットワークに対する全帯域又はソース装置の動作帯域に対して特定時間にわたって受信したデジタルベースバンド信号（すなわち、復調／復号したデジタル信号）のアンテナポート別平均受信電力であってもよい。デジタルベースバンド信号の一例は、ＬＴＥ／ＬＴＥ−ＡシステムではＳＲＳ（Ｓｏｕｎｄｉｎｇ  Ｒｅｆｅｒｅｎｃｅ  Ｓｉｇｎａｌ）であってもよい。
【００４３】
第二に、知能型認知モジュールは、各受信アンテナでソース装置の各アンテナから放射される電磁場を測定し、それらを比較することによって信号増幅器における最適のアンテナを選択することもできる。
【００４４】
第三に、ソース装置からのアンテナ及びネットワーク情報などを受信することによって間接的に機器認知を行うこともできる。このような間接的機器認知方法の一つとして、ソース装置からの直接受信がある。これは、ソース装置又は信号増幅器の要請によって、信号増幅器がソース装置からアンテナ及びネットワーク情報などを受信することによって行うことができる。より詳細には、機器認知の容易性のために、信号増幅器に、ソース装置として活用可能な様々な端末のそれぞれのアンテナ及び／又はネットワーク情報などをあらかじめ保存しておき、ソース装置からソース装置を区別可能な情報（例えば、ソース装置のモデル名、シリアルナンバー（Ｓｅｒｉａｌ  Ｎｕｍｂｅｒ）など）を受信し、それを比較することによって該当の情報を取得することもできる。又は、ソース装置からアプリケーション（Ａｐｐｌｉｃａｔｉｏｎ）を介して送信したアンテナ及びネットワーク情報などを直接受信することによってアンテナ及び／又はネットワーク情報を取得することもできる。
【００４５】
知能型機器認知過程は、ソース装置が変更されない限り、初期セットアップ過程のみで発生すればよい。また、初めてソース装置を認知した後に、ソース装置に関する情報（アンテナ種類と個数、支援するネットワークタイプ、動作周波数帯域など）を保存装置を用いて登録、保存し、その後には該当の情報を活用することによって上記認知過程を大幅に縮小させることができる。例えば、電話番号、端末機モデル名、シリアルナンバーなどの、ソース装置を区別可能な情報のユーザ入力によって自動で端末認知を行うことができる。ここで、ユーザ入力は、信号増幅器でのユーザの直接的な入力だけでなく、ソース装置でのユーザの直／間接的入力による信号増幅器への該当の情報送信も含む。例えば、該当の情報を含んでいるＲＦＩＤ送信器又はＮＦＣ送信器を介した情報送信であってもよい。仮に、車両衝撃及び振動、ユーザの不注意などによってソース装置の位置が特定限界値以上変更された場合、上記の機器認知過程は再び行われてもよい。そのために、機器認知モジュールでは、以前割当の電力重み付け値との比較、又はソース装置からのアンテナ放射パターンによる送信電力（又は、エネルギー）、電磁場などの周期的な測定によって、端末のアンテナ位置に対して最適の一つ以上のアンテナモジュールを選択することができる。
【００４６】
（知能型機器認知モジュールの具体的な実施例）
知能型機器認知モジュールは、ソース装置に対するチャネル形成方式によって接触式と非接触式とに区別でき、機器認知のためのアンテナモジュールの具現方法によって固定型アンテナ方式と移動型アンテナ方式とに区別できる。以下、それぞれの場合について説明する。
【００４７】
第一は、非接触式チャネル形成方式のうち、一つ以上の固定型アンテナモジュールを備える固定型アンテナ方式である。知能型機器認知モジュールは、複数の固定型アンテナモジュールのうち、ソース装置のアンテナ及びネットワーク特性に対する最適のアンテナ位置、組合せを認知し、該当のアンテナモジュールのみを選択的に活性化することができる。また、選択されたアンテナモジュールが複数個であるが、該当のアンテナが実際には一つのアンテナとして認知される場合、該当のアンテナに対するグルーピングを行うことができる。図５には、上述したような非接触式、固定型アンテナ方式の知能型機器認知モジュールが例示されている。図５を参照すると、ソース装置（ソース端末）が、互いに異なるポール（ｐｏｌ）特性を有する端末アンテナ＃１及び端末アンテナ＃２を用いて信号を送信する場合、知能型機器認知モジュールは、複数の受信アンテナ１，２，…，６のうち、ソース装置に対応するアンテナ１、２、５を認知してそれを選択することができる。そして、後述する適応的リンク形成モジュールによって、アンテナ１と５がソース装置の一つのアンテナ（すなわち、端末アンテナ２）に対応することを認知した後、これらをグルーピングして実際的に一つのアンテナとして取扱うことができる。
【００４８】
第二は、非接触式インターフェースを有する移動型アンテナ方式である。移動型アンテナ方式は、一つ以上の移動型アンテナモジュールとアンテナガイドを備えることができる。ここでいう「移動型」は、アンテナモジュールそのもの及びアンテナモジュールのガイドのうち少なくとも一つが移動可能であるということを意味する。すなわち、アンテナそのもの、移動型ガイドに固定されたアンテナ、又は移動型ガイド上で移動可能なアンテナを介して能動的にスキャンすることによって、ソース装置に対する最適のアンテナ位置を認知し、ソース装置とのチャネルに対して最適のリンクを形成することができる。移動型アンテナ方式は、図６（ａ）に示すように、一つのアンテナガイドに一つのアンテナが設けられる単一ガイド／単一アンテナ方式もあり、又は図６（ｂ）に示すように、一つのアンテナガイドに複数のアンテナが設けられる単一ガイド／多重アンテナ方式もある。
【００４９】
第三は、接触式チャネル形成方法がある。上述した非接触式方式を様々なネットワーク又は一つのネットワークにおいて多重帯域にいずれも対応可能に具現することは現実的には難しいだろう。この点から、ネットワークの種類に対しては個別のアンテナを具備しても、一つのネットワーク内では多重帯域アンテナを適用することもできる。多重帯域アンテナは、一つの物理的アンテナに複数の共振周波数を支援できるようにしたアンテナで、例えば、セルラー通信におけるＰＩＦＡ（Ｐｌａｎａｒ  Ｉｎｖｅｒｔｅｄ  Ｆ  Ａｎｔｅｎｎａ）がある。ＰＩＦＡが適用された例として、電力増幅器は装置の内部に存在するが、アンテナは装置のケースなどに位置するものがある。このようにアンテナが外部に存在し、これに対する接点ポイント（又は、アンテナフィーダ（ｆｅｅｄｅｒ））又は外部インターフェース（ｅｘｔｅｒｎａｌ  ｉｎｔｅｒｆａｃｅ）が存在する場合、知能型機器認知モジュールとソース装置とを直接接続することによって有線チャネルを形成することができる。
【００５０】
このような接触式チャネル形成では、前述した非接触式チャネル形成方法における移動型アンテナ方式と同様にしてソース装置を認識することができる。すなわち、単一ガイド／単一アンテナモジュール方式又は単一ガイド／多重アンテナモジュールにおいて、アンテナモジュールがアンテナ接点ポイントに置き換えられ、これを能動的にスキャニングすることによってソース装置のアンテナ接点ポイントを知能的に認知し、これによって無線チャネル上での干渉及び性能の低下を最小化した有線チャネルを形成する。
【００５１】
接触式チャネル形成方式の他の例示として、ソース装置のアンテナ接点に対応する信号増幅器のアンテナ接点を受動で合わせて接続する方法もある。又は、別の有線ケーブルを介して機器間のアンテナ接点を直接接続することもできる。
【００５２】
（適応的リンク形成モジュール）
上述した通り、知能型機器認知モジュールを含む信号増幅器は、ソース装置に対するインターフェース及び送受信装置、内部制御装置をはじめとする適応的リンク形成モジュール、並びに目的装置に対するインターフェース及び送受信装置を含むことができる。ここで、適応的リンク形成モジュールは、ｉ）ソース装置に対するインターフェースに関連する第１リンク、ｉｉ）目的装置に対するインターフェースに関連する第２リンク、ｉｉｉ）第１リンクと第２リンクとの内部的接続過程に関連する第３リンクを形成することができる。
【００５３】
まず、ｉ）ソース装置に対するインターフェースに関連する第１リンク形成について説明する。前述した通り、提案する機器認知ベースのＭＩＭＯ  ＲＦ信号増幅器は、知能型機器認知過程を通じて、実際ソース装置との通信に用いるアンテナの数、位置、種類など、並びに適用するネットワーク種類及び動作周波数などを決定する。その後、知能型機器認知モジュールでのソース装置に対するインターフェース具現方式によって、アンテナ選択、アンテナグルーピングなどを通じて適応的リンク形成過程を行うことができる。すなわち、アンテナタイプに合わせてアンテナを区別し、ソース装置の一つのアンテナに対応する信号増幅器のアンテナが複数個である場合、それらをグルーピングすることによって、実際には一つのアンテナとして認識されるようにすることができる。さらに、選択されたアンテナ又は選択されたアンテナグループ内のアンテナが最適の性能を発揮できるように重み付け値を算出／付与することができる。例えば、ソース装置の一つのアンテナに対応する信号増幅器のアンテナが複数個である場合、各アンテナに対する要求される最適の電力が互いに異なることがあるが、適応的電力分配（Ａｄａｐｔｉｖｅ  Ｐｏｗｅｒ  Ａｌｌｏｃａｔｉｏｎ／Ａｄａｐｔｉｖｅ  Ｐｏｗｅｒ  Ｂａｌａｎｃｉｎｇ）を用いてそれを補完することができる。また、上記の重み付け値は、アンテナ選択とグルーピングとの間に適用されてもよく、アンテナグルーピング後に適用されてもよい。
【００５４】
上記の重み付け値、アンテナ選択、グルーピングなどに関する決定は、内部制御器の命令によって行うことができる。このとき、アンテナ選択、グルーピング、重み付け値の算出及び適用などは、初期端末認知及び登録過程又は周期／非周期的点検過程で行うことができる。ただし、アンテナ選択、グルーピングなどは、ソース装置の変更又は深刻な位置変化などがない限り、過程の単純化のために省略されてもよい。
【００５５】
次に、ｉｉ）目的装置に対するインターフェースに関連する第２リンク形成を説明すると、信号増幅器は、目的装置に対するチャネルにおいて、アンテナ選択、アンテナグルーピング、重み付け値の算出及び付与などという適応的リンク形成過程を行うことができる。
【００５６】
ここで、アンテナ選択は、送受信ダイバーシティ利得のために用いることができる。すなわち、信号増幅器は電力増幅器に比べて多数のアンテナモジュールを有することができ、この場合、各電力増幅器に対応するアンテナモジュールを選択することができる。
【００５７】
また、信号増幅器は、備えている電力増幅器と同数のアンテナを含んでもよいが、空間的な制約によって狭いアンテナ間の間隔を有し得る。この場合、支援すべきアンテナの種類及び個数の限界内で最も少ない相間関係を有するアンテナを選択することができる。
【００５８】
また、多重ネットワーク又は一つのネットワーク内の多重バンドを支援する場合、最適のアンテナ長は、ネットワーク種類及び動作周波数帯域によって可変してもよいが、実際には、空間上又は具現上の制約によってそれを満たすことができないだろう。この場合、アンテナグルーピングを用いたアンテナ長の拡張によってそれを解決することができる。
【００５９】
次に、ｉｉｉ）第１リンクと第２リンクとの内部的接続過程に関連する第３リンク形成について説明する。
【００６０】
信号増幅器は、‘知能型機器認知過程’及び‘ソース装置に対するインターフェースに対する適応的リンク形成過程’から決定された最終ソース装置に対するチャネルリンクと目的装置に対するインターフェースとの間のリンクを形成しなければならない。そのために、信号増幅器は、目的装置に対するインターフェースに対して上述の第１リンク及び第２リンクの接続作業を行うことができる。目的装置に対するインターフェースの全てのアンテナを固定的に用いる場合、第２リンク形成過程は省略し、目的装置に対するインターフェースへの接続過程でアンテナ選択、グルーピング、重み付け値の付与などを行うことができる。
【００６１】
図７は、本発明で提案する適応的リンク形成モジュールを備えたＭＩＭＯ  ＲＦ信号増幅器の一例を示す。図７を参照すると、適応的リンク形成モジュールは上述の、ｉ）ソース装置に対するインターフェースに関連する第１リンク７１０、ｉｉ）目的装置に対するインターフェースに関連する第２リンク７２０、ｉｉｉ）第１リンクと第２リンクとの内部的接続過程に関連する第３リンク７３０を形成することができる。
【００６２】
図７に示す、リンク形成モジュールに含まれた制御器（ｃｏｎｔｒｏｌｌｅｒ）は、適応型リンク形成のためのリンク選択、分配及び結合に必要な増幅及び位相係数、リンク選択情報などを決定することができる。知能型機器認知から取得したソース装置の情報は制御器の入力に含まれて出力値に影響を与えることができる。一例として、知能型機器認知から取得したアンテナ位置情報は、適応的リンク形成時にソース装置との通信のためのアンテナを選択することに決定的な作用をすることができる。この制御器には、通信システムの全部又は一部に対してデジタルベースバンド信号（Ｄｉｇｉｔａｌ  Ｂａｓｅｂａｎｄ  Ｓｉｇｎａｌ）を復調／復号可能なモデム及びチャネル推定モジュールが含まれてもよい。例えば、通信システムにおける参照信号（Ｒｅｆｅｒｅｎｃｅ  Ｓｉｇｎａｌ）、パイロット信号（Ｐｉｌｏｔ  Ｓｉｇｎａｌ）又はプリアンブル信号（Ｐｒｅａｍｂｌｅ  Ｓｉｇｎａｌ）などのチャネル推定可能信号を受信し、それに基づいてＤｏＡ（Ｄｅｇｒｅｅ  ｏｆ  Ａｒｒｉｖａｌ）及び／又はＰＡＳ（Ｐｏｗｅｒ  Ａｚｉｍｕｔｈ  Ｓｐｅｃｔｒｕｍ）を推定することによって、受信及び／又は送信ビーム操向重み付け値を算出／適用することができる。このような送／受信ビーム形成は、ＲＦ信号に対する位相遷移ビーム形成（Ｐｈａｓｅ  Ｓｈｉｆｔｅｄ  Ｂｅａｍｆｏｒｍｉｎｇ）技法又はアナログビーム形成技法によって具現することができる。このようなビーム形成技法は、時間領域で推定されたＤｏＡ又はＰＡＳの平均を取ることによって、時間領域におけるＬｏｎｇ−ｔｅｒｍ  Ｂｅａｍｆｏｒｍｉｎｇ形態で運用することができる。
【００６３】
上述したような、知能型機器認知モジュール及び適応的リンク形成モジュールを含む本発明の実施例に係る信号増幅器には、次の説明がさらに適用されてもよい。
【００６４】
信号増幅器は、ソース装置が該当の装置に部分又は完全挿入又は装着形態などの密着した形態で運用することができる。仮に、ソース装置が非接触式信号増幅器から一定の距離以上離れた状態で運用される場合、信号増幅器は、知っているソース装置に対して、知っているアンテナ情報及びネットワーク情報に基づいて、アンテナの種類と個数、ネットワークタイプ、動作周波数に対して運用するが、アンテナ間の間隔を最大限にすることによって、一般的なＭＩＭＯ  ＲＦ信号増幅器と類似な形態で運用することができる。仮に、ソース装置に対してアンテナ情報が不足するか不在である場合、信号増幅器は、支援可能なネットワーク又は認知したネットワーク及び動作帯域に対して一つのアンテナのみを運用することによって動作することができる。
【００６５】
信号増幅器の目的装置に対する（送信）アンテナの構成と関連して、信号増幅器は、図８（ａ）に示すように、目的装置との通信のために複数の内部アンテナを含むことができる。又は、信号増幅器は、図８（ｂ）に示すように、外部アンテナが接続し得るポートのみを含んでもよい（アンテナ着脱型、外部アンテナ利用モデル）。すなわち、目的装置との通信のためのアンテナを信号増幅器に装着するような構成とすることもできる。また、信号増幅器は、図８（ｃ）に示すように、外部アンテナと内部アンテナを選択的に用いることもできる（ハイブリッド形態）。このとき、外部アンテナ挿入が認識され、内部アンテナとの経路が自動で遮断されるようにすることができる。
【００６６】
信号増幅器は、ソース装置と目的装置間の通信性能を向上させる機能を果たす。そのために、ソース装置が備えている電力増幅器及びアンテナに比べて高性能の電力増幅器及び／又は高性能アンテナモジュールを含むことができる。すなわち、ソース装置の制限的なハードウェア性能を克服すると同時にアンテナ間干渉及び経路損失を最小化するなどの最適化を通じてソース装置の性能を間接的に極大化させることができる。また、信号増幅器は、別個の複数個の外部アンテナを用いて車両、建物などのチャネル環境上の遮蔽／音声による性能低下を克服することができる。
【００６７】
以上開示された本発明の好ましい実施例についての詳細な説明は、当業者が本発明を具現して実施できるように提供された。以上では本発明の好適な実施例を参照して説明したが、当該技術の分野における熟練した当業者に理解されるように、本発明の領域から逸脱しない範囲内で本発明を様々に修正及び変更することもできる。例えば、当業者は、上記の実施例に記載された各構成を互いに組み合わせる方式で用いてもよい。したがって、本発明は、ここに開示されている実施形態に制限されるものではなく、ここに開示されている原理及び新規な特徴と一致する最も広い範囲を与えるためのものである。
【００６８】
本発明は、本発明の精神及び必須特徴から逸脱することなく、他の特定の形態に具体化することができる。そのため、上記の詳細な説明はいずれの面においても制約的に解釈してはならず、例示的なものとして考慮しなければならない。本発明の範囲は、添付した請求項の合理的解釈によって定めなければならず、本発明の等価的範囲内における変更はいずれも本発明の範囲に含まれる。本発明は、ここに開示されている実施形態に制限されるものではなく、ここに開示されている原理及び新規な特徴と一致する最も広い範囲を有するものである。また、特許請求の範囲で明示的な引用関係を有しない請求項を結合して実施例を構成してもよく、出願後の補正によって新しい請求項として含めてもよい。
【００６９】
（実施の形態）
様々な実施例が、発明を実施するための形態において上述されている。
【産業上の利用可能性】
【００７０】
上述したような本発明の実施形態は、様々な移動通信システムに適用可能である。
【図１】
0005976199.tif 000002
【図２】
0005976199.tif 000003
【図３】
0005976199.tif 000004
【図４】
0005976199.tif 000005
【図５】
0005976199.tif 000006
【図６】
0005976199.tif 000007
【図７】
0005976199.tif 000008
【図８】
0005976199.tif 000009